(57)【特許請求の範囲】
【請求項１】
少なくとも２つ以上のアームが連結部を介して角度調整可能に連結されるアームスタンドにおいて、上記各アームを覆うとともに配線用の部材を収納する配線用の溝が形成されたアーム用カバーと、上記連結部を左右から各々覆う一対の連結部用カバーとを備え、
前記アーム用カバーに、上記配線用の溝を着脱自在に覆う係合蓋が設けられ、上記一対の連結部用カバーに、互いの突き合わせ端側が摺接する摺接部が形成され、前記アーム用カバーの配線用の溝に連続する配線用の空隙が形成されているとともに、前記一対の連結部用カバーは、その一方に前記アーム用カバーの一方に片側から固定される延設部が設けられ、その他方に前記アーム用カバーの他方に片側から固定される延設部が設けられ、上記各延設部が上記アーム用カバーの外周を左右の片側から覆うことにより固定され、これら各延設部の内側に上記配線用の部材を案内し、上記配線用の部材が上記一方の延設部から他方の延設部に亘って配線されており、
前記一対の連結部用カバーの延設部と同じ形状の補助カバーが備えられ、この補助カバーは前記連結部用カバーの延設部が固定されない側のアーム用カバーに配設されていることを特徴とすることを特徴とするアームスタンド。
【請求項２】
前記アーム用カバーに係止用の折り曲げ部が形成される一方、前記係合蓋に上記折り曲げ部に対して係止する係止片が設けられていることを特徴とする請求項１記載のアームスタンド。
【請求項３】
少なくとも２つ以上のアームが連結部を介して角度調整可能に連結されるアームスタンドにおいて、上記各アームを覆うとともに配線用の部材を収納する配線用の溝が形成されたアーム用カバーと、上記連結部を左右から各々覆う一対の連結部用カバーとを備え、
前記アーム用カバーに、上記配線用の溝を着脱自在に覆う係合蓋が設けられ、上記一対の連結部用カバーに、互いの突き合わせ端側が摺接する摺接部が形成され、前記アーム用カバーの配線用の溝に連続する配線用の空隙が形成され、
前記アーム用カバーの配線用の溝に、前記各アームと配線用の部材との接触を防止する接触防止部材が配設されていることを特徴とするアームスタンド。
【請求項４】
少なくとも２つ以上のアームが連結部を介して角度調整可能に連結されるアームスタンドにおいて、上記各アームを覆うとともに配線用の部材を収納する配線用の溝が形成されたアーム用カバーと、上記連結部を左右から各々覆う一対の連結部用カバーとを備え、
前記アーム用カバーに、上記配線用の溝を着脱自在に覆う係合蓋が設けられ、上記一対の連結部用カバーに、互いの突き合わせ端側が摺接する摺接部が形成され、前記アーム用カバーの配線用の溝に連続する配線用の空隙が形成され、
前記各アームに、該各アームを張設状態に保つ弾性部材が配設されるとともに、この弾性部材と前記配線用の部材とを隔絶する隔絶部が設けられていることを特徴とするアームスタンド。
【発明の詳細な説明】
【０００１】
【産業上の利用分野】
この発明は、机、テーブル、病院のベッドなどに取り付けられて蛍光灯や液晶表示装置等を角度を変えて保持するアームスタンドに関する。
【０００２】
【従来の技術】
従来、机（デスク）、テーブルなどに取り付けられて蛍光灯や液晶表示装置等を自由な位置で保持するアームスタンドとしては、先端側に蛍光灯や液晶表示装置等が取り付けられた第１のアームと、机等の端部に固定される固定アームに取り付けられる第２のアームとが連結されるとともに、これらの各アームを連結部を介して角度調整可能に構成されたものが知られている。そして、このようなアームスタンドにおいては、上記蛍光灯等に接続される電源用のコード等の配線用の部材が上記各アームに沿って配線されるようになっている。
【０００３】
しかし、上記アームスタンドは、電源用のコード等の配線用の部材が上記各アーム等の外部に配線されるために、外観上の見映えが好ましくない。特に、第１のアームの先端に液晶表示装置等の電子機器が取り付けられて、パソコン用のデスクや病院のベッドに取り付けられるような電子機器用のアームスタンドにおいては、電子機器としての機能美・装飾美が重視されることから、外観上のデザイン性に劣る問題を有していた。
【０００４】
このため、例えば、図８に示すように、上記第１のアーム１０１と第２のアーム１０２の各外周に、抑え板１０３が着脱自在に取り付けられるコード案内具１０４が設けられ、このコード案内具１０４の中に配線用の部材Ｈが収納状態で配線されるとともに、上記各アーム１０１，１０２の連結部１０５の外周に配線用の部材Ｈが配線されるようにしたものが開発されている。ここでの配線用の部材Ｈは、電源用のコードとアンテナ線である（詳しくは、特開平３−２４２０９２号公報参照）。
【０００５】
【発明が解決しようとする課題】
ところで、近年の液晶表示装置等の電子機器は、その飛躍的な進歩によって小型・薄型化のみならず多機能のものが開発されるようになっている。例えば、病院のベッド等に取り付けられる液晶表示装置を搭載したアームスタンドにおいては、先端に液晶表示装置の他に小型カメラが取り付けられ、ナース室等の監視室で患者の容体を観察することができるような機器が開発される傾向にあり、今後、マイク等の付属機器が装備されたり、上記液晶表示装置に患者の看護データが入出力されたりすることも期待されている。この場合、この電子機器用のアームスタンドには、電源用のコードやアンテナ線のみならず、小型カメラやマイク用等の他の配線用の部材が配線される必要があり、しかも、それらの機能が追加される場合には、後から配線する必要が生じる。
【０００６】
しかしながら、上記従来例では、小型テレビジョンである電子機器の角度調整に主眼がおかれ、配線用の部材Ｈを完全に覆い隠したり、配線用の部材Ｈを増やしたりすることを考慮したものではなかった。特に、上記連結部１０５では、この連結部１０５の外周に配線用の部材Ｈが巻き付けられて露出したままとなっている。また、上記配線用の部材Ｈを配線する上記コード案内具１０４は別付けで設けられるものであり、部品点数が多く、美観上も好ましくない。なお、上記連結部１０５の箇所で配線用の部材Ｈが露出状態となっている理由は、この連結部１０５の箇所では、配線用の部材Ｈが伸縮状態におかれるために、カバーを設けるなどして覆い隠すことは困難であることによるものと考えられる。
【０００７】
さらに、アームスタンドに配線される配線用の部材Ｈが増加することを考慮すると、配線用の部材Ｈを覆うカバーは、配線作業の容易化や配線状態の確認のために、分解もできることが必要である。また、配線用の部材Ｈが互いに損傷したり、混線したりすることも防止する必要がある。
【０００８】
そこで、本発明は、配線用の部材の配線作業が容易で、配線した後は配線用の部材が外部から認識されることがない外観形状の優れたアームスタンドを提供することを目的とする。また、本発明は、数種類の配線用の部材が互いに損傷したり、混線したりすることを防止することが可能なアームスタンドを提供することを目的とする。
【０００９】
【課題を解決するための手段】
本発明の請求項１記載のアームスタンドは、上記課題を解決するために、少なくとも２つ以上のアームが連結部を介して角度調整可能に連結されるアームスタンドにおいて、上記各アームを覆うとともに配線用の部材を収納する配線用の溝が形成されたアーム用カバーと、上記連結部を左右から各々覆う一対の連結部用カバーとを備え、
前記アーム用カバーに、上記配線用の溝を着脱自在に覆う係合蓋が設けられ、上記一対の連結部用カバーに、互いの突き合わせ端側が摺接する摺接部が形成されるとともに、前記アーム用カバーの配線用の溝に連続する配線用の空隙が形成されているとともに、前記一対の連結部用カバーは、その一方に前記アーム用カバーの一方に片側から固定される延設部が設けられ、その他方に前記アーム用カバーの他方に片側から固定される延設部が設けられ、上記各延設部が上記アーム用カバーの外周を左右の片側から覆うことにより固定され、これら各延設部の内側に上記配線用の部材を案内し、上記配線用の部材が上記一方の延設部から他方の延設部に亘って配線されており、前記一対の連結部用カバーの延設部と同じ形状の補助カバーが備えられ、この補助カバーは前記連結部用カバーの延設部が固定されない側のアーム用カバーに配設されていることを特徴とする。
【００１０】
この請求項１記載の発明によれば、上記係合蓋を外した状態の各アーム用カバーの配線用の溝に電源用のコード等の配線用の部材を収納する。次いで、上記連結部の箇所においては、上記一対の連結部用カバーの内側に配線用の部材を配線し、上記配線用の空隙を通過させて、上記互いの摺接部を突き合わせる。次いで、上記アーム用カバーの配線用の溝に上記係合蓋を装着すると、配線用の部材は外部から認識されないようになる。他方、上記配線用の部材を配線した後に、配線作業のやり直しが必要となる場合などには、上記係合蓋をアーム用カバーの配線用の溝から外した後、上記一対の連結部用カバーの摺接状態を解除することにより、容易に分解することができる。なお、上記係合蓋を一対の連結部用カバーの取り付け取り外しの前に着脱することも可能である。
【００１１】
そして、上記各アームを角度調整のために上記連結部を介して移動させても、上記一対の連結部用カバーの互いの突き合わせ端側の摺接部が上記アーム等の移動に対応して摺接することとなり、上記連結部の動きを妨げることがない。また、上記一対の連結部用カバーの一方と他方の延設部を上記各アーム用カバーに片側から固定させて、各延設部の内側に前記配線用の部材を案内すると、上記一対の連結部用カバーは、上記連結部と配線用の部材を片側から覆うとともに、上記各アームが連結部を介して移動しても、その動きに伴って上記摺接部が摺接するようになる。この場合、上記配線用の部材は上記一方の延設部から他方の延設部に亘って配線されるようになる。さらに、上記補助カバーを各々上記延設部が設けられていない片側に配設することにより、上記一対の連結部用カバーとの美観上の統一が図られることとなる。また、上記一対の連結部用カバーの摺接部の動きも妨げられない。
【００１２】
【００１３】
【００１４】
【００１５】
【００１６】
本発明の請求項２記載のアームスタンドは、前記請求項１記載の発明を前提として、前記アーム用カバーに係止用の折り曲げ部が形成される一方、前記係合蓋に上記折り曲げ部に対して係止する係止片が設けられていることを特徴とする。
【００１７】
この請求項２記載の発明によれば、上記係合蓋の係止片により、上記配線用の溝を覆うようにワンタッチで取り付けられるとともに、上記係合蓋を着脱する場合は、スライドさせて着脱することができるようになる。
【００１８】
本発明の請求項３記載のアームスタンドは、少なくとも２つ以上のアームが連結部を介して角度調整可能に連結されるアームスタンドにおいて、上記各アームを覆うとともに配線用の部材を収納する配線用の溝が形成されたアーム用カバーと、上記連結部を左右から各々覆う一対の連結部用カバーとを備え、前記アーム用カバーに、上記配線用の溝を着脱自在に覆う係合蓋が設けられ、上記一対の連結部用カバーに、互いの突き合わせ端側が摺接する摺接部が形成され、前記アーム用カバーの配線用の溝に連続する配線用の空隙が形成され、前記アーム用カバーの配線用の溝に、前記各アームと配線用の部材との接触を防止する接触防止部材が配設されていることを特徴とする。ここで、上記配線用の部材が数本ある場合には、これらの間に更に接触防止部材を介在させることが好ましい。
【００１９】
この請求項３記載の発明によれば、各アームと配線用の部材との接触を防止する接触防止部材が配設されていることから、配線用の部材が損傷したり、混線したりすることがない。
【００２０】
本発明の請求項４記載のアームスタンドは、少なくとも２つ以上のアームが連結部を介して角度調整可能に連結されるアームスタンドにおいて、上記各アームを覆うとともに配線用の部材を収納する配線用の溝が形成されたアーム用カバーと、上記連結部を左右から各々覆う一対の連結部用カバーとを備え、前記アーム用カバーに、上記配線用の溝を着脱自在に覆う係合蓋が設けられ、上記一対の連結部用カバーに、互いの突き合わせ端側が摺接する摺接部が形成され、前記アーム用カバーの配線用の溝に連続する配線用の空隙が形成され、前記各アームに、該各アームを張設状態に保つ弾性部材が配設されるとともに、この弾性部材と前記配線用の部材とを隔絶する隔絶部が設けられていることを特徴とする。
【００２１】
この請求項４記載の発明によれば、上記各アームに隔絶部が配設されていることから、上記配線用の部材が上記弾性部材と接触して損傷したり、混線したりすることがない。
【００２２】
【発明の実施の形態】
以下、本発明の一実施の形態を図面を参照しながら説明する。
【００２３】
本実施の形態のアームスタンド１０は、図１乃至図３に示すように、１４ｃｍ（５．５インチ）の液晶テレビである小型の液晶表示装置Ｌを保持するもので、病院のベッドに取り付けられて使用されるものである。この小型の液晶表示装置Ｌは、第１の連結部４と第２の連結部５と第３の連結部６で角度調整が可能であるが、液晶表示装置Ｌは、この角度調整によっても常に垂直状態を保つように上記アームスタンド１０に取り付けられ、患者は、この垂直状態の液晶表示装置Ｌを見ることができるものである。
【００２４】
まず、本実施の形態のアームスタンド１０の基本的な構成は、第１のアーム１を内蔵するアーム用カバー１１と、第２のアーム２を内蔵するアーム用カバー１２と、これらの連結部である第２の連結部５を覆う一対の連結部用カバー２１，２２とを備え、これらにより電源用のコード等の配線用の部材Ｈ１，Ｈ２を覆い隠すように構成されている。上記アーム用カバー１１は、先端側に液晶表示装置Ｌ側に配設される首振用カバー３３Ａ，３３Ｂ，３４と連続的に配され、他方、上記アーム用カバー１２は、ベッドの端部側に配設される固定部用カバー３１Ａ，３１Ｂ，３２と連続的に配されている。なお、図示しないが、上記固定部用カバー３１Ａ，３１Ｂ，３２には、ベッドの端部を狭持する固定部材に取り付けられる固定用アームが内蔵され、他方、上記首振用カバー３３Ａ，３３Ｂ，３４には、先端側に液晶表示装置Ｌが取り付けられる首振りアームが内蔵されている。
【００２５】
ここで、上記第１の連結部４と第３の連結部６の連結状態、すなわち、上記アーム用カバー１２と固定部用カバー３１Ａ，３１Ｂ，３２、上記アーム用カバー１１と首振用カバー３３Ａ，３３Ｂ，３４の連結状態は、第２の連結部５の連結状態、すなわち、上記アーム用カバー１１，１２と一対の連結部用カバー２１，２２の連結状態と基本的構造は同様とすることが可能であるので、以下、上記アーム用カバー１１とアーム用カバー１２と、これらの第２の連結部５を中心に説明する。
【００２６】
上記第１のアーム１と第２のアーム２は、アルミ合金製やステンレス製のもので、図２に示すように、その長手方向の中途部が断面Ｌ字状に各々形成されている。この断面Ｌ字状の一側壁は、隔絶部１ｂ，２ｂとして構成されており、この断面Ｌ字状の内側に位置して弾性部材９である引っ張りコイルばねが配設されている。また、上記隔絶部１ｂ，２ｂの所定箇所には、上記弾性部材９の他端を係止する係止部１ｃ，２ｃが設けられている。したがって、上記第１のアーム１と第２のアーム２は、上記弾性部材９を介して張設され、いずれかのアーム１，２を所定角度移動させても、その角度状態を維持するようになっている。そして、この角度調整の如何にかかわらず、配線用の部材Ｈ１，Ｈ２は弾性部材９と接触しないようになっている。
【００２７】
また、上記第１のアーム１と第２のアーム２は、上記アーム用カバー１１と一体的に連結されている。すなわち、この第１のアーム１の一端側には、第１及び第２のアーム１，２を外周で連結する一端連結部１ａが設けられており、この一端連結部１ａの中心で、連携部材１３が連結されると共に、上記アーム用カバー１１の一端側に設けられる一端連結部１１ａが可動可能に連結されている。上記連携部材１３は、第１のアーム１と第２のアーム２との連結に際しては、介在部材８を介して上記第２のアーム２側の弾性部材９を配設するために使用されるものである。また、上記連携部材１３の外周には、鍔部１３ａが設けられ、アーム用カバー１１の端部と当接するようになっている。したがって、上記第１及び第２のアーム１，２と上記アーム用カバー１１とは、上記第２の連結部５において、断面コ字状の固定片１８とピン部材Ｂ１，Ｂ２等により一体的に連結されて所定角度回転可能に構成されている。なお、上記アーム２も同様に、その一端連結部２ａを有しており、第１の連結部４の位置で上記アーム用カバー１２と一体的に連結されている。
【００２８】
上記アーム用カバー１１，１２は、図１乃至図３に示すように、上記第１のアーム１と第２のアーム２とを各々覆うもので、上記第１及び第２のアーム１，２と同じ材質のものである。このアーム用カバー１１，１２には、断面Ｕ字状の配線用の溝１１ｂ，１２ｂが全長に亘って形成されている。そして、このＵ字状の配線用の溝１１ｂ，１２ｂの底部側に上記第１のアーム１又は第２のアーム２が各々内蔵され、その上方側に配線用の部材Ｈ１，Ｈ２が収納されるようになっている。また、上記アーム用カバー１１，１２の両端側には、一対の連結部用カバー２１，２２や補助カバー２５，２６をネジＢ３により止める穴が設けられている。
【００２９】
さらに、上記Ｕ字状の配線用の溝１１ｂ，１２ｂには、図１に示すように、接触防止部材２３が配設されている。この接触防止部材２３は、配線用の部材Ｈ１，Ｈ２の接触や混線を防止するもので、絶縁性のシート状の部材で構成されて、折り曲げが容易となっている。また、この接触防止部材２３の両端部には、延長片２３ａ，２３ｂが設けられ、例えば、上記Ｕ字状の配線用の溝１１ｂに配設された接触防止部材２３の延長片２３ｂは、上記第２の連結部５の外周にまで及び、この第２の連結部５の外周を覆うようになっている。
【００３０】
また、上記アーム用カバー１１，１２の配線用の溝１１ｂ，１２ｂに対しては、上記係合蓋１５が着脱自在に覆うように設けられている。すなわち、上記アーム用カバー１１を例として、図５に示すように、上記アーム用カバー１１，１２の左右の側壁端部には、内側に折り曲げれた折り曲げ部１１ｃ，１２ｃが形成されている。他方、上記係合蓋１５は、合成樹脂製の板状のもので、外側１５ａには多数の溝形状のデザインが施され、内側１５ｂには、上記左右の側壁部を外周から覆う外側の係止片１５ｃと、上記アーム用カバー１１，１２の折り曲げ部１１ｃ，１２ｃに係止される内側の係止片１５ｄとが設けられている。したがって、上記係合蓋１５は、上記各アーム用カバー１１，１２の外周と上記折り曲げ部１１ｃ，１２ｃの上面側においてワンタッチで着脱し得る構成とされるとともに、上記配線用の溝１１ｂ，１２ｂに対してスライド可能に構成されている。なお、図示しないが、上記係合蓋１５の内側１５ｂに、配線用の部材Ｈ１，Ｈ２が互いに接触することを防止する係止片を設けるようにしても良い。
【００３１】
次に、上記一対の連結部用カバー２１，２２は、合成樹脂製のもので、上記第２の連結部５の一方の側を覆う連結部用カバー２１と他方の側を覆う連結部用カバー２２であり、各々内部が円形状に膨出した本体部２１ａ，２２ａと延設部２１ｂ，２２ｂとから構成されている。本実施の形態の一対の連結部用カバー２１，２２は、同一の形状であり、図４（ａ）（ｂ）（ｃ）に示すように、上記本体部２１ａ，２２ａの端部が互いに突き合わせた状態で摺接する摺接部２１ｃ，２２ｃが形成されている。また、上記摺接部２１ｃ，２２ｃの所定箇所が切り欠かれ、この切り欠いた箇所２１ｄ，２２ｄを覆うように摺接部２１ｃ，２２ｃが設けられている。したがって、上記一対の連結部用カバー２１，２２には、上記切り欠いた箇所２１ｄ，２２ｄから上記延設部２１ｂ，２２ｂの内側に配線用の部材Ｈ１，Ｈ２を通し、上記アーム用カバー１１，１２の内側に配線し得る配線用の空隙Ｍが形成されている。すなわち、ここでの配線用の空隙Ｍとは、上記一対の連結部用カバー２１，２２の本体部２１ａ，２２ａの内側と、上記延設部２１ｂ，２２ｂの内側と上記切り欠かれた箇所２１ｄ，２２ｄとが含まれるものとする。
【００３２】
また、上記延設部２１ｂ，２２ｂは、後述する補助カバー２５，２６とともにいわば羽根形を呈するもので、上記アーム用カバー１１，１２の外周を左右の片側から各々半々ずつ覆うことにより固定されるようになっている。すなわち、上記一方の連結部用カバー２１の延設部２１ｂを上記一方のアーム用カバー１２の外周に取り付け、他方の連結部用カバー２２の延設部２２ｂを上記他方のアーム用カバー１１の外周に取り付けると、上記アーム用カバー１１，１２の角度が変更されても、この変更移動に伴って移動するようになっている。さらに、延設部２１ｂ，２２ｂには、上面が溝形状のデザインが施された角度規制部材２１ｇ，２２ｇが設けられ、この角度規制部材２１ｇ，２２ｇの一端が上記係合蓋１５の端部と当接し、他端が補助カバー２５，２６の角度規制部材２５ｃ，２６ｃの端部と当接するようになっている。
【００３３】
さらに、上記一対の連結部用カバー２１，２２は、その内壁に上記第２の連結部５に対して係止させる係止部２１ｅ，２２ｅが設けられている。この係止部２１ｅ，２２ｅは、上記アーム用カバー１１，１２を仮止めするためのもので、上記各一端連結部１ａ，１１ａや連携部材１３の外周に係止されるようになっている。ただし、このような係止部２１ｅ，２２ｅは、上記一端連結部１ａ，１１ａ等に係止用の穴を形成して係止させるようにしても良い。また、上記延設部２１ｂ，２２ｂの中央には、ネジ止め用の穴２１ｆ，２２ｆが形成され、上記アーム用カバー１１，１２に形成されるネジ止め用の穴との間でネジＢ３により固定されるようになっている。
【００３４】
ここで、上記一対の連結部用カバー２１，２２としては、具体的に図示しないが、上記摺接部２１ｃ，２２ｃを有する円形状の本体部２１ａ，２２ａのみが形成され、上記延設部２１ｂ，２２ｂが設けられていないものでも可能である。この場合の一対の連結部用カバー２１，２２は、上記摺接部２１ｃ，２２ｃの所定箇所が切り欠かれて上記配線用の溝１１ｂ，１２ｂと連続する配線用の空隙Ｍが形成されることとなるが、このような円形状の場合でも、上記アーム用カバー１１，１２の中のアーム１，２が角度調整のために移動しても、上記一対の連結部用カバー２１，２２の互いの突き合わせ端側が摺接することとなる。ここでの配線用の空隙Ｍは、上記一対の連結部用カバー２１，２２の内側と上記切り欠かれた箇所２１ｄ，２２ｄである。そして、このような円形状の一対の連結部用カバー２１，２２を上記第２の連結部５に取り付ける場合には、その左右に後述する補助カバー２５，２６を各々配設することが隙間なく連結する上で好ましい。
【００３５】
次に、補助カバー２５，２６は、図１に示すように、上記一対の連結部用カバー２１，２２の延設部２１ｂ，２２ｂを有しない片側に近接させて配設されるものである。すなわち、この補助カバー２５，２６には、上記延設部２１ｂ，２２ｂと同じ羽根形を呈して、上記アーム用カバー１１，１２の外周に固定される固定部２５ａ，２６ａと、上記摺接部２１ｃ，２２ｃの形状に対応した円弧部２５ｂ，２６ｂが形成されている。したがって、上記補助カバー２５，２６は、一対の連結部用カバー２１，２２の摺接部２１ｃ，２２ｃが互いに摺接して状態が担保され得るようになっている。また、この補助カバー２５，２６と一対の連結部用カバー２１，２２とを上記第２の連結部５に取り付けると、上記円形状の本体部２１ａ，２２ｂを中心として左右に羽根を拡げたような外観形状を呈するようなデザイン的工夫がなされている（図３参照）。
【００３６】
また、上記補助カバー２５，２６の上部には、多数の溝形状のデザインが施された角度規制部材２５ｃ，２６ｃが設けられている。この角度規制部材２５ｃ，２６ｃの一端は、上記一対の連結部用カバー２１，２２の角度規制部材２１ｇ，２２ｇの端部と当接して、第２の連結部５の角度変更を規制する（図７参照）。すなわち、上記一対の連結部用カバー２１，２２を外した状態にすると、上記アーム用カバー１１，１２は、１８０度以上に角度調整可能であるが、上記一対の連結部用カバー２１，２２を取り付けた状態で上記アーム用カバー１１と１２とを直線状に伸ばした場合（すなわち１８０度）には、それ以上無理な角度変更が生じないようになっている。
【００３７】
次に、上記アームスタンド１０に実際に配線用の部材Ｈ１，Ｈ２を配線する場合について説明する。ここでは、病院のベッドの端部に上記アームスタンド１０が既に取り付けられており、上記一対の連結部用カバー２１，２２と係合蓋１５が外された状態におかれているものとして説明する。また、配線用の部材Ｈ１，Ｈ２は、電源用のコードＨ１とアンテナ線Ｈ２として説明する。
【００３８】
まず、図１に示すように、上記アーム用カバー２１，２２の配線用の溝１１ｂ，１２ｂに、上記接触防止部材２３を配設した後、配線用の部材Ｈ１，Ｈ２を収納する。この接触防止部材２３は、図５中下向きの断面コ字状に配設されているが、上向きの断面コ字状に配設されているものでも良い。また、配線用の部材Ｈ１，Ｈ２の他にも配線用の部材Ｈがある場合は、上記接触防止部材２３を数枚使用して混線等が生じないようにしても良い。なお、図１中の配線用の部材Ｈは、図面上は１本であるが、実際には、上記２つの配線用の部材Ｈ１，Ｈ２がある。
【００３９】
次いで、上記第２の連結部５においては、上記一対の連結部用カバー２１，２２の延設部２１ｂ，２２ｂの内側に配線用の部材Ｈ１，Ｈ２を案内した状態で覆い互いに重ね合わせるようにする。そして、上記互いの摺接部２１ｃ，２２ｃを突き合わせるとともに、上記各延設部２１ｂ，２２ｂを各アーム用カバー１２，１１の外周に固定させる。この場合、上記一対の連結部用カバー２１，２２の内壁の係止部２１ｅ，２２ｅを上記第２の連結部５の外周に係止させて仮止めした状態で、上記ネジ止め用の穴２１ｆ，２２ｆに入れてネジＢ３でネジ止めする（図１参照）。
【００４０】
すると、図６に示すように、上記配線用の部材Ｈ１，Ｈ２は上記一方の延設部２１ｂから他方の延設部２２ｂに亘って斜めに配線されるようになる。より詳細には、上記配線用の部材Ｈ１，Ｈ２は、上記各延設部２１ｂ，２２ｂがある側の内側に沿って配線され、上記補助カバー２５，２６が配線される側には配されないようになる。すなわち、上記配線用の部材Ｈ１，Ｈ２は、上記第２の連結部５の箇所では伸縮状態におかれるが、一方の連結部用カバー２１の延設部２１ｂの右側から引き込まれて、他方の連結部用カバー２２の延設部２２ｂの左側から引き出されることとなる。したがって、上記第２の連結部５の箇所の動きによっても、配線用の部材Ｈ１，Ｈ２の伸縮状態に有効に対応することとなる。
【００４１】
次いで、上記補助カバー２５，２６を一対の連結部用カバー２１，２２の延設部２１ｂ，２２ｂがない片側に取り付ける。すなわち、図７に示すように、この補助カバー２５，２６の固定部２５ａ，２６ａをアーム用カバー１１，１２の外周に固定すると共に、上記円弧部２５ｂ，２６ｂを一対の連結部用カバー２１，２２の円形状の摺接部２１ｃ，２２ｃに近接させる。この補助カバー２５，２６の取り付けにより、美観上の統一が図られるとともに、上記第２の連結部５が隙間なく完全に覆われる。なお、この補助カバー２５，２６の内側には、配線用の部材Ｈ１，Ｈ２は配線されておらず、また、この補助カバー２５，２６を一対の連結部用カバー２１，２２の摺接部２１ｃ，２２ｃに近接させて当接させたとしても、上記円弧部２５ｂ，２６ｂが設けられているので、上記摺接部２１ｃ，２２ｃ同士の摺接状態を何ら妨げることはない。
【００４２】
最後に、アーム用カバー１１，１２の配線用の溝１１ｂ，１２ｂに上記係合蓋１５を装着する。この場合、上記係合蓋１５を上方から押圧するだけで、上記係合蓋１５の外側の係止片１５ｃと内側の係止片１５ｄとが上記アーム用カバー１１，１２の折り曲げ部１１ｃ，１２ｃに係止されて、上記配線用の溝１１ｂ，１２ｂを閉塞することとなる。また、上記係合蓋１５の外側１５ａは上記補助カバー２５，２６の外側の角度規制部材２５ｃ，２６ｃと面一になるように取り付けられる。
【００４３】
ここで、上記係合蓋１５の取り付けは、上記配線用の溝１１ｂ，１２ｂに対してスライドさせて着脱させることも可能である（図１中の矢印Ｆ参照）。このスライドによる取り付けの場合は、上記一対の連結部用カバー２１，２２を取り付ける前に行うことが好ましい。このスライドによる着脱によれば、アーム用カバー１１，１２が長尺な場合にも上記係合蓋１５のスムーズな取り付けが可能になると共に、取り付けの際に生じうる係合蓋１５自体や上記係止片１５ｃ，１５ｄの亀裂や破損が防止される。
【００４４】
ところで、上記アームスタンド１０においては、上記配線を行った後にも、配線用の部材Ｈ１，Ｈ２の配線状態の確認ややり直しが必要となる場合がある。また、上記アームスタンド１０の先端部には、液晶表示装置Ｌの配線用の部材Ｈ１，Ｈ２の他に、更に配線用のコード等を増やす必要が生じる場合がある。このような場合は、上記係合蓋１５をアーム用カバー１１，１２の配線用の溝１１ｂ，１２ｂから外すとともに、上記ネジ止めを除去して、上記一対の連結部用カバー２１，２２の摺接状態を解除することが可能である。なお、係合蓋１５を図１の矢印Ｆ方向にスライドさせても容易に取り外すことができる。
【００４５】
また、上記一対の連結部用カバー２１，２２は、その一方２１と他方２２とが同一形状である。したがって、この一対の連結部用カバー２１，２２を製造する場合には、同一の金型を使用すれば足りるために、製造コストが安価となる利点がある。このことは、上記固定部用カバー３１Ａ，３１Ｂ，３２と首振用カバー３３Ａ，３３Ｂ，３４についても同様に、同一形状とすることが可能である。なお、図１に示すように、本実施の形態のアームスタンド１０には、上記一対の連結部用カバー２１，２２と同一形状のカバー３１Ａ，３３Ａが取り付けられている。
【００４６】
また、上記一対の連結部用カバー２１，２２の摺接部２１ｃ，２２ｃは、この摺接部２１ｃ，２２ｃ同士が連結するような構造ではない。すなわち、一対の連結部用カバー２１，２２は、アーム用カバー１１，１２とは別部材であり、上記第２の連結部５に対して後から覆う、いわゆる後付け可能なものである。したがって、上記第２の連結部５と配線用の部材Ｈ１，Ｈ２を覆って、上記各延設部２１ｂ，２２ｂを固定させるだけで容易に取り付けられるとともに、上記角度調整の動きを妨げるようなことがない。
【００４７】
さらに、上記一対の連結部用カバー２１，２２は、後付け可能なものであるから、上記第２の連結部５のような角度調整部分を、この角度調整という機能を優先させて製造することが可能である。言い換えると、本実施の形態のような弾性部材９により張設状態を得るアームスタンド１０の場合、各アーム１，２等の張設状態を予め設定しても、製造後その通りの張設状態を得ることは極めて困難である。しかし、本実施の形態の一対の連結部用カバー２１，２２は、このような製造上の都合如何に拘わらずアームスタンド１０を製造しても、後から各カバーを容易に取り付けることが可能である。そして、上記各アーム１，２の無理な角度変更が行われた場合には、上記補助カバー２５，２６の角度規制部材２５ｃ，２６ｃの端部と一対の連結部用カバー２１，２２の角度規制部材２１ｇ，２２ｇの端部とが当接して、上記無理な角度変更を規制することが可能になる。
【００４８】
以上、本実施の形態のアームスタンド１０では、小型の液晶表示装置Ｌを先端側に取り付けるもので説明したが、本発明のアームスタンド１０は、蛍光灯等のアームスタンド１０としても適用可能であり、更に、各種の電子機器を取り付ける機械装置にも広く適用可能である。また、本実施の形態のアームスタンド１０では、第１のアーム１と第２のアーム２の第２の連結部５を中心に説明したが、本発明は、このような連結部５を多数有する多数のアームが設けられているものにも適用可能である。
【００４９】
【発明の効果】
本発明の請求項１記載のアームスタンドは、上記アーム用カバーと一対の連結部用カバーにより配線用の部材を完全に覆うことが可能となるために、配線用の部材が外部から認識されることがない、外観形状の優れたアームスタンドを提供することが可能となる。また、上記一対の連結部用カバーは、簡易な構造でありながら上記連結部を覆うと共に、この連結部の動きにも対応することが可能である。さらに、分解も容易であるから、後から配線状態を確認したり、増設したりする場合の配線作業の容易化が図られることとなる。
【００５０】
また、本発明の請求項３又は請求項４記載のアームスタンドは、上記アーム用カバーの配線用の溝に接触防止部材が配設されたり、上記アームの弾性部材と上記配線用の部材とを隔絶する隔絶部が設けられたりすることにより、数種類の配線用の部材が互いに損傷したり、混線したりする事態を有効に防止することが可能となる。
【図面の簡単な説明】
【図１】本発明のアームスタンドの一実施の形態を示す分解斜視図である。
【図２】上記一実施の形態のアームスタンドの内部構造を示す分解斜視図である。
【図３】上記一実施の形態のアームスタンドの側面図である。
【図４】上記一実施の形態の一対の連結部用カバーの一方を示す図であり、（ａ）は正面図であり、（ｂ）は側面図であり、（ｃ）は背面図である。
【図５】上記一実施の形態のアームスタンドのアーム用カバーと係合蓋を示す断面図である。
【図６】上記一実施の形態の連結部の配線状態を示す斜視図である。
【図７】上記一実施の形態の連結部の配線状態を示す斜視図である。
【図８】従来のアームスタンドの一例を示す斜視図である。
【符号の説明】
１ 第１のアーム、２ 第２のアーム、１ａ，２ａ 一端連結部、１ｂ，２ｂ 隔絶部、４ 第１の連結部、５ 第２の連結部、６ 第３の連結部、９ 弾性部材、１０ アームスタンド、１１，１２ アーム用カバー、１１ａ 一端連結部、１１ｂ，１２ｂ 配線用の溝、１１ｃ，１２ｃ 折り曲げ部、１５ 係合蓋、１５ｃ 外側の係止片、１５ｄ 内側の係止片、２１，２２ 一対の連結部用カバー、２１ａ，２２ａ 本体部、２１ｂ，２２ｂ 延設部、２１ｃ，２２ｃ 摺接部、２１ｅ，２２ｅ 係止部、２３ 接触防止部材、２５，２６ 補助カバー、２１ｇ，２２ｇ，２５ｃ，２６ｃ 角度規制部材、Ｈ，Ｈ１，Ｈ２ 配線用の部材、Ｌ 液晶表示装置、Ｍ 配線用の空隙
【図１】
0003645432.tif 000002
【図２】
0003645432.tif 000003
【図３】
0003645432.tif 000004
【図４】
0003645432.tif 000005
【図５】
0003645432.tif 000006
【図６】
0003645432.tif 000007
【図７】
0003645432.tif 000008
【図８】
0003645432.tif 000009